(57)【要約】【課題】より消火栓装置の操作を簡便なものとする。【解決手段】電動弁６又は電磁弁を有する消火栓弁３と、消火栓弁３の二次側に設けられる先端にノズル７が接続された消火用ホース４とを本体２内に備えた消火栓装置１において、消火栓装置１を、消火用ホース４又はノズル７が本体２から引き出されたことを検知する検知手段１５と、検知手段１５が消火用ホース４又はノズル７が本体２より引き出されたことを検知した時に消火栓弁３を開放させるスイッチ手段１３と、を有するものとする。【選択図】図４
2017077353.tif 000002
【特許請求の範囲】
【請求項１】
電動弁又は電磁弁を有する消火栓弁と、該消火栓弁の二次側に設けられる先端にノズルが接続された消火用ホースとを本体内に備えた消火栓装置であって、
該消火用ホース又は該ノズルが該本体から引き出されたことを検知する検知手段と、
該検知手段が該消火用ホース又は該ノズルが該本体より引き出されたことを検知した時に該消火栓弁を開放させるスイッチ手段と、を有することを特徴とする消火栓装置。
【請求項２】
前記スイッチ手段は、非放水時には、前記消火用ホース又は前記ノズルによって前記検知手段を介して押された状態となっており、該消火用ホース又は該ノズルが該本体から引き出され、該押された状態が解除された際に、該消火栓弁を開放するものであることを特徴とする請求項１に記載の消火栓装置。
【請求項３】
前記検知手段は、スイッチバーであり、
該スイッチバーは、付勢手段を有しており、
該付勢手段は、前記消火用ホース又は前記ノズルが前記本体から引き出され際に該スイッチバーを前記スイッチ手段とは反対側に移動させるためのものであることを特徴とする請求項２に記載の消火栓装置。
【請求項４】
前記スイッチ手段を保護するための保護手段を更に有することを特徴とする請求項１乃至３の何れかに記載の消火栓装置。
【発明の詳細な説明】
【技術分野】
【０００１】
本発明は、消火栓装置に関する。
【背景技術】
【０００２】
従来、ビル等の建物やトンネル等の設備には消火栓装置が設置されている。この消火栓装置は、先ずホースが格納された本体の扉を開けて、本体からノズルが接続されたホースを引き出し、次いで、消火栓弁を開けて起動スイッチを「オン」にして消火ポンプを起動する。これにより、ノズルから消火液が噴出するものである。
【０００３】
トンネルに設置される消火栓装置は、扉の背面に消火栓弁を開放させるための操作レバーが設けられ、この操作レバーを動かすと、ワイヤを介して、消火栓弁を開放する機構となっており、この消火栓弁の操作を簡便にした消火栓装置がある（例えば、特許文献１を参照）。この様な消火栓装置においては、消火栓弁を電動弁で構成し、扉背面の先端側に電動弁を開放するための元弁用スイッチが設けられており、消火栓を操作するときは、扉を開放させ、元弁用スイッチを押すだけで、電動弁からなる消火栓弁を開放させることが可能となっている。
【先行技術文献】
【特許文献】
【０００４】
【特許文献１】特許第２６２７１０９号公報
【発明の概要】
【発明が解決しようとする課題】
【０００５】
この様な消火栓装置は、消防士等の熟練者ではなく、日頃この様な装置に触れる機会の略ない一般人の使用を想定としたものである。消火栓の操作に、（１）本体の扉を開く、（２）本体からホースを引き出す、（３）消火栓弁を開放する、（４）起動スイッチを押す、等の複数の手順を全て行う必要があるので、火災時に慌てていると操作ミスを起こす可能性があるものであった。特に、（３）又は（４）の操作をし忘れることがあり、ホースを火災の現場まで延ばせても消火水が放出されず、再度、（３）や（４）の操作をするために引き返したり、その場でパニックになってしまったりすることもある。
【０００６】
そこで、本発明は、より消火栓装置の操作を簡便なものとすることを目的とするものである。
【課題を解決するための手段】
【０００７】
本発明は、電動弁又は電磁弁を有する消火栓弁と、該消火栓弁の二次側に設けられる先端にノズルが接続された消火用ホースとを本体内に備えた消火栓装置であって、該消火用ホース又は該ノズルが該本体から引き出されたことを検知する検知手段と、該検知手段が該消火用ホース又は該ノズルが該本体より引き出されたことを検知した時に該消火栓弁を開放させるスイッチ手段と、を有することを特徴とする消火栓装置である。
【０００８】
本発明は、前記スイッチ手段を、非放水時には、前記消火用ホース又は前記ノズルによって前記検知手段を介して押された状態となっており、該消火用ホース又は該ノズルが該本体から引き出され、該押された状態が解除された際に、該消火栓弁を開放するものとすることもできる。又、本発明は、前記検知手段を、スイッチバーとすることもできる。又、本発明は、前記スイッチバーを、付勢手段を有するものとし、該付勢手段を、前記消火用ホース又は前記ノズルが前記本体から引き出され際に該スイッチバーを前記スイッチ手段とは反対側に移動させるためのものとすることもできる。又、本発明は、前記スイッチ手段を保護するための保護手段を更に有するものとすることもできる。
【発明の効果】
【０００９】
本発明は、消火用ホース又はノズルが引き出す操作と連動して消火栓弁を開放し、消火水を消火用ホースに供給される様にしたので、消火栓装置の操作をより簡便なものとすることができる。
【図面の簡単な説明】
【００１０】
【図１】本発明の実施形態を示す図であり、（ａ）は正面図、（ｂ）は右側面図である。
【図２】本発明の実施形態における扉を前傾させた状態を示す平面図である。
【図３】図２の要部拡大図である。
【図４】本発明の実施形態における検知手段を示す図であり、（ａ）はノズルが引き出される前の様子を示す図であり、（ｂ）はノズルが引き出された後の様子を示す図であり、（ｃ）が分解図である。
【図５】本発明の実施形態におけるスイッチカバーの拡大斜視図に相当する略図である。
【図６】本発明の実施形態における放水手順を示すフロー図である。
【発明を実施するための形態】
【００１１】
本発明の実施形態を図１乃至図６に基づき説明する。先ず、消火栓装置１の構成について説明する。
【００１２】
消火栓装置１は、略箱状の本体２と、本体２内に格納された消火栓弁３及び消火用ホース４とを備えている。本体２は、通常、トンネルや建物の壁等に埋め込まれる様にして設置される。本体２の当該壁等に埋め込まれていない開放面（本実施形態においては、前面２ａ）には、前傾可能に取り付けられた扉５が設けられている。
【００１３】
消火栓弁３は、一次側が、消火水槽や消火水タンク等の消火水源に接続されており、電動弁又は電磁弁等の電磁気的に制御可能な弁を有している。本実施形態においては、電動弁６を有している。
【００１４】
消火用ホース４は、消火栓弁３の二次側に設けられており、非放水時は、本体２内に巻かれた状態で収納されている。消火用ホースの４の先端には、ノズル７が接続されている。ノズル７は、消火水を放出するための放出口部７ａを有している。
【００１５】
扉５には、ノズル収容部８、スイッチカバー９及びホースガイド１０が設けられている。ノズル収容部８は、ノズル７を収容可能に形成された凹部であり、収容時にノズル７を固定するためのホルダ１１が設けられている。
【００１６】
スイッチカバー９には、ノズル７がホルダ１１によって固定された際に、ノズル７と対向する側板９ａが設けられる。この側板９ａには、後述するスイッチバー１５が挿通可能に形成された挿通穴１２が形成されている。又、スイッチカバー９の内部には、挿通穴１２と対向する位置にスイッチ手段の一例であるノズルスイッチ１３が設けられていると共にその天板９ｂの外面には操作スイッチ１４が設けられている。ノズルスイッチ１３は、スイッチカバー９又は扉５のどちらに取り付けてもよい。
【００１７】
ノズルスイッチ１３は、電動弁６の閉鎖及び開放を制御するためのスイッチ手段の一例であり、スイッチ１３ａが押された状態（通電状態を問わず、以下、便宜的に「ＯＮ」という）では、電動弁６を閉鎖し、消火水が消火用ホース４に供給されない様にし、スイッチ１３ａが押されていない状態（通電状態を問わず、以下、便宜的に「ＯＦＦ」という）では、電動弁６を開放し、消火水が消火用ホース４に供給される様に電動弁６を制御するためのものである。
【００１８】
又、ノズルスイッチ１３は、電動弁６の閉鎖および開放を制御するだけでなく、従来技術で示した起動スイッチのオンオフも制御し、電動弁６を開放させる際には、図示しない起動スイッチがオンにされ、図示しない消火ポンプが起動されるものである。
【００１９】
尚、ノズルスイッチ１３について、「ＯＮ」の状態で通電するものとするか、「ＯＦＦ」の状態で通電するものとするかは、消火栓装置１の態様に合わせ、適宜選択することが可能である。
【００２０】
操作スイッチ１４は、スイッチが押されると電動弁６が閉鎖され、消火水の放出が停止される様になっており、又、再度、スイッチが押されると、電動弁６を開放し、消火水を再度放出する様になっている。尚、本実施形態においては、ノズルスイッチ１３が「ＯＮ」の状態の時は、操作スイッチ１４はその操作を受け付けない様になっている。
【００２１】
尚、ノズルスイッチ１３は、操作スイッチ１４と連動してオンオフするスイッチであってもよく、例えば、ノズルスイッチ１３がオフ状態になって電動弁６が開放するとき、操作スイッチ１４を押すことで、ノズルスイッチ１３がオン状態となるようにしてもよい。
【００２２】
スイッチカバー９の挿通穴１２には、スイッチバー１５が挿通されている。スイッチバー１５は、挿通穴１２よりも大きく形成されたヘッド部１５ａ、被押圧部１５ｂ及びスプリング１５ｃ等の付勢手段を有している。スイッチバー１５は、ノズル７がノズル収容部８に収容されている際に、ノズル７の放出口部７ａによって被押圧部１５ｂが押圧され、ノズルスイッチ１３側へと移動すると共にスプリング１５ｃが押し縮められ、ヘッド部１５ａがノズルスイッチ１３を「ＯＮ」の状態に保持する様になっている。
【００２３】
又、スイッチバー１５は、ノズル７がノズル収容部８から取り外されて、被押圧部１５ｂが放出口部７ａによって押圧されなくなった際に、スプリング１５ｃの付勢力によってノズルスイッチ１３とは反対側へと移動し、ノズルスイッチ１３を「ＯＦＦ」の状態にする様になっている。尚、この際、スイッチバー１５のヘッド部１５ａは挿通穴１２よりも大きく形成されているため、スイッチバー１５が挿通穴１２より抜けない様になっている。尚、スイッチバー１５の先端には、ヘッド部１５ａがねじ結合により着脱自在に取り付けられるようになっている。
【００２４】
換言すれば、スイッチバー１５は、ノズル７が本体２より引き出されたことを検知する検知手段としての役割を担っていることとなる。
【００２５】
次に、本実施形態の放水手順について説明する。
（０）始め、消火栓装置１は、ノズルスイッチ１３は「ＯＮ」の状態（Ｓ１）となっており、電動弁６は閉鎖され、待機状態（Ｓ０）となっている。
（１）先ず、扉５を前傾させ、本体２を開く。
【００２６】
（２）ノズル７を、ホルダ１１から取り外し、ノズル収容部８から取り出すと共に消火用ホース４を本体２の外部へと引き出す。その際、スイッチバー１５の被押圧部１５ｂへのノズル７による押圧も解除され、スプリング１５ｃの付勢力によって、スイッチバー１５がノズルスイッチ１３とは反対側の方向に移動し、ノズルスイッチ１３は「ＯＦＦ」の状態（Ｓ２）になる。そして、電動弁６が開放され（Ｓ３）、消火水が消火用ホース４へと供給される。
【００２７】
（３）その後、ノズル７を火のある方向に向け、火災に向かって放水を開始する（Ｓ４）。
（４）火災が鎮火した後は、操作スイッチ１４を押す（Ｓ５）ことで、電動弁６は閉鎖（Ｓ６）され、放水は停止する（Ｓ７）。仮に、完全に鎮火していなかった場合には、再度、操作スイッチ１４を押すことで（Ｓ８）、電動弁６が開放され（Ｓ３）、放水が再度開始される（Ｓ４）。
【００２８】
つまり、消火栓装置１は、（１）本体の扉を開く、（２）本体からホースを引き出すという日頃消火栓装置に触れる機会のない一般人であっても迷わずに行うことができるであろう操作によって、放水が可能な状態にすることができる様になっている。
【００２９】
尚、本実施形態においては、ノズルスイッチ１３がスイッチカバー９内にあることで、消火用ホース４を引き出す際に、消火用ホース４等がノズルスイッチ１３にあたることによって、誤ってノズルスイッチ１３が「ＯＮ」の状態になって、放水が停止しないようなっている。つまり、本実施形態において、スイッチカバー９は、ノズルスイッチ１３を誤動作から保護するための保護手段としての役割を担っている。
【００３０】
本発明を上記実施形態により説明したが、本発明は上記実施形態に限定されるものではなく、発明の要旨を変更しない範囲で適宜変更可能である。
【００３１】
例えば、操作スイッチ１４をスイッチカバー９の天板９ｂに設けるものとして説明したが、消火用ホース４の引き出し方向によっては、消火用ホース４が操作スイッチ１４に当たって、放水中に誤って電動弁６が閉鎖する可能性もある。そのため、例えば、操作スイッチ１４を、引き出された消火用ホース４が触れにくい側板９ａとは反対側の側板など、スイッチカバー９のその他の箇所に設けるようにしてもよい。
【００３２】
又、操作レバーを備え、操作レバーを動かすことにより消火栓弁が開放する従来の消火栓に本発明を適用するようにしてもよい。この場合には、手動で開放する消火栓弁と並列に電動弁式の消火栓弁を設ける。この場合には、放水操作時に、操作レバーが操作されなくても、ノズルスイッチのオフにより電動弁式の消火栓弁が開放して放水を行うことができる。
【００３３】
例えば、スイッチ手段として、ノズルスイッチ１３の代わりに消火用ホース４が本体２から引き出されたことを検知するホーススイッチ（図示せず）を設けてもよい。この場合、検知手段は、消火用ホース４が本体２より引き出されたことを検知する様に設けられ、検知手段がスイッチバー１５である場合は、非放水時に被押圧部１５ｂが消火用ホース４によって押圧される様に設置される。尚、該ホーススイッチの構成としては、ノズルスイッチ１３と同様の構成を採用することができる。特に、消火用ホース４が布製である場合、本体１に収容する際に折り曲げられた部分が放水の妨げとなる可能性があるため、それを防止するために、該検知手段を、消火用ホース４の大部分又は全部が本体２より引き出されたことを検知する様に設置することも可能である。
【００３４】
又、スイッチ手段は、検知手段を兼ねるものであってもよい。例えば、スイッチ１３ａを消火用ホース４やノズル７により直接押すようにし、ノズルスイッチ１３の「ＯＮ」及び「ＯＦＦ」そのもので消火用ホース４やノズル７の引き出しを検知すると共に電動弁６を開放するものとすることもできる。
【符号の説明】
【００３５】
１      消火栓装置          ２      本体                  ２ａ    前面
３      消火栓弁            ４      消火用ホース          ５      扉
６      電動弁              ７      ノズル                ７ａ    放出口部
８      ノズル収容部        ９      スイッチカバー        ９ａ    側板
９ｂ    天板                １０    ホースガイド          １１    ホルダ
１２    挿通穴              １３    ノズルスイッチ        １３ａ  スイッチ
１４    操作スイッチ        １５    スイッチバー          １５ａ  ヘッド部
１５ｂ  被押圧部            １５ｃ  スプリング
【図５】
2017077353.tif 000003
【図６】
2017077353.tif 000004
【図１】
2017077353.tif 000005
【図２】
2017077353.tif 000006
【図３】
2017077353.tif 000007
【図４】
2017077353.tif 000008